【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】
【発明の名称】  情報記録再生装置および方法、並びに記録媒体
【手続補正２】
【補正対象書類名】明細書
【補正対象項目名】特許請求の範囲
【補正方法】変更
【補正の内容】
【特許請求の範囲】
【請求項１】
映像信号を含むコンテンツを記録して再生する情報記録再生装置において、
前記コンテンツを取得する取得手段と、
前記コンテンツに含まれる映像信号の表示に時間的に連続して表示されるコマーシャル映像を検出する検出手段と、
前記検出手段が前記コマーシャル映像が検出されていない期間において周期的なタイミング信号を発生する発生手段と、
前記タイミング信号に同期して前記コンテンツに含まれる映像信号の縮小静止画像を生成する生成手段と、
前記生成手段が生成した縮小静止画像を情報記録媒体に記録する記録手段と
を備えることを特徴とする情報記録再生装置。
【請求項２】
前記発生手段は、前記コマーシャル映像の終了直後に前記タイミング信号を発生する
ことを特徴とする請求項１に記載の情報記録再生装置。
【請求項３】
前記コンテンツは、テレビジョン番組の放送信号である
ことを特徴とする請求項１に記載の情報記録再生装置。
【請求項４】
前記記録手段は、前記情報記録媒体に記録された前記縮小静止画像のうち、前記コマーシャル映像に対応するものを削除する
ことを特徴とする請求項１に記載の情報記録再生装置。
【請求項５】
前記記録手段は、前記コンテンツが記録される第１の情報記録媒体とは異なる第２の情報記録媒体に前記生成手段が生成した縮小静止画像を記録する
ことを特徴とする請求項１に記載の情報記録再生装置。
【請求項６】
映像信号を含むコンテンツを記録して再生する情報記録再生装置の情報記録再生方法において、
前記コンテンツを取得する取得ステップと、
前記コンテンツに含まれる映像信号の表示に時間的に連続して表示されるコマーシャル映像を検出する検出ステップと、
前記検出ステップで前記コマーシャル映像が検出されていない期間において周期的なタイミング信号を発生する発生ステップと、
前記タイミング信号に同期して前記コンテンツに含まれる映像信号の縮小静止画像を生成する生成ステップと、
前記生成ステップで生成した縮小静止画像を情報記録媒体に記録する記録ステップと
を含むことを特徴とする情報記録再生方法。
【請求項７】
映像信号を含むコンテンツを記録して再生するためにプログラムであって、
前記コンテンツを取得する取得ステップと、
前記コンテンツに含まれる映像信号の表示に時間的に連続して表示されるコマーシャル映像を検出する検出ステップと、
前記検出ステップで前記コマーシャル映像が検出されていない期間において周期的なタイミング信号を発生する発生ステップと、
前記タイミング信号に同期して前記コンテンツに含まれる映像信号の縮小静止画像を生成する生成ステップと、
前記生成ステップで生成した縮小静止画像を情報記録媒体に記録する記録ステップと
を含む処理をコンピュータに実行させるプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報記録再生装置および方法、並びに記録媒体に関し、特に、例えば、テレビジョン放送の映像信号を、所定の時間間隔でサムネイル画像として記録するようにした情報記録再生装置および方法、並びに記録媒体に関する。
【手続補正４】
【補正対象書類名】明細書
【補正対象項目名】０００７
【補正方法】変更
【補正の内容】
【０００７】
本発明の情報記録再生装置は、コンテンツを取得する取得手段と、コンテンツに含まれる映像信号の表示に時間的に連続して表示されるコマーシャル映像を検出する検出手段と、検出手段がコマーシャル映像が検出されていない期間において周期的なタイミング信号を発生する発生手段と、タイミング信号に同期してコンテンツに含まれる映像信号の縮小静止画像を生成する生成手段と、生成手段が生成した縮小静止画像を情報記録媒体に記録する記録手段とを備えることを特徴とする。
【手続補正５】
【補正対象書類名】明細書
【補正対象項目名】０００８
【補正方法】変更
【補正の内容】
【０００８】
本発明の情報記録再生方法は、コンテンツを取得する取得ステップと、コンテンツに含まれる映像信号の表示に時間的に連続して表示されるコマーシャル映像を検出する検出ステップと、検出ステップでコマーシャル映像が検出されていない期間において周期的なタイミング信号を発生する発生ステップと、タイミング信号に同期してコンテンツに含まれる映像信号の縮小静止画像を生成する生成ステップと、生成ステップで生成した縮小静止画像を情報記録媒体に記録する記録ステップとを含むことを特徴とする。
【手続補正６】
【補正対象書類名】明細書
【補正対象項目名】０００９
【補正方法】変更
【補正の内容】
【０００９】
本発明の記録媒体は、映像信号を含むコンテンツを記録して再生するためにプログラムであって、コンテンツを取得する取得ステップと、コンテンツに含まれる映像信号の表示に時間的に連続して表示されるコマーシャル映像を検出する検出ステップと、検出ステップでコマーシャル映像が検出されていない期間において周期的なタイミング信号を発生する発生ステップと、タイミング信号に同期してコンテンツに含まれる映像信号の縮小静止画像を生成する生成ステップと、生成ステップで生成した縮小静止画像を情報記録媒体に記録する記録ステップとを含む処理をコンピュータに実行させるプログラムが記録されていることを特徴とする。
【手続補正７】
【補正対象書類名】明細書
【補正対象項目名】００１０
【補正方法】変更
【補正の内容】
【００１０】
本発明においては、コンテンツが取得され、取得されたコンテンツに含まれる映像信号の表示に時間的に連続して表示されるコマーシャル映像が検出され、コマーシャル映像が検出されていない期間において周期的なタイミング信号が発生され、発生されたタイミング信号に同期してコンテンツに含まれる映像信号の縮小静止画像が生成されて情報記録媒体に記録される。
【手続補正８】
【補正対象書類名】明細書
【補正対象項目名】００１２
【補正方法】変更
【補正の内容】
【００１２】
本発明の情報記録再生装置は、前記コンテンツを取得する取得手段（例えば、図１のチューナ２）と、前記コンテンツに含まれる映像信号の表示に時間的に連続して表示されるコマーシャル映像を検出する検出手段（例えば、図２のＣＭ検出回路２１）と、前記検出手段が前記コマーシャル映像が検出されていない期間において周期的なタイミング信号を発生する発生手段（例えば、図２のタイミング信号発生回路２２）と、前記タイミング信号に同期して前記コンテンツに含まれる映像信号の縮小静止画像を生成する生成手段（例えば、図２の画像縮小回路２５）と、前記生成手段が生成した縮小静止画像を情報記録媒体に記録する記録手段（例えば、図１の書き込み回路６）とを備えることを特徴とする。
【手続補正９】
【補正対象書類名】明細書
【補正対象項目名】００７０
【補正方法】変更
【補正の内容】
【００７０】
【発明の効果】
以上のように、本発明によれば、本編の静止画像だけを記録することが可能となる。